(57)【特許請求の範囲】
【請求項１】
複数の映像信号発生装置が送信した各映像信号発生装置の接続要求信号と識別信号をワイヤレス受信する入力器と、
前記入力器により受信した前記各映像信号発生装置の識別信号の内容を表示する第１の表示器と、
前記第１の表示器により表示された前記各映像信号発生装置の識別信号の内容のうち、１個の映像信号発生装置の識別信号の内容が指定された場合には、前記１個の映像信号発生装置に対して接続許可信号を出力し、複数の映像信号発生装置の識別信号の内容が指定された場合には、前記複数の映像信号発生装置に対して接続許可信号を出力する出力器と、
前記出力器から出力された前記接続許可信号を受信した映像信号発生装置が出力した映像信号を１個の表示画面に表示する第２の表示器とを備えた表示装置。
【請求項２】
請求項１に記載の表示装置において、
前記出力器は、前記指定された識別信号の内容に対応する映像信号発生装置以外の映像信号発生装置に対して接続却下信号を送信することを特徴とする表示装置。
【請求項３】
複数の映像信号発生装置が送信した接続要求信号と各映像信号発生装置に対応するＩＤ信号をワイヤレス受信する入力器と、
受信した前記ＩＤ信号の内容を表示する第１の表示器と、
表示されたＩＤ信号に対応する映像信号発生装置の少なくとも一つに対して接続許可信号を出力する出力器と、
接続許可信号を受信した映像信号発生装置が出力した映像信号を１個の表示画面に表示する第２の表示器とを備えた表示装置。
【請求項４】
請求項３に記載に表示装置において、
前記接続許可信号を出力する映像信号発生装置を指定する入力手段を備えたことを特徴とする表示装置。
【請求項５】
複数の映像信号発生装置が送信した接続要求信号と各映像信号発生装置に対応するＩＤ信号をワイヤレス受信する入力器と、
受信した前記ＩＤ信号の内容を表示する第１の表示器と、
受信した接続要求信号を送信した複数の映像信号発生装置に対して接続許可信号を出力する出力器と、
接続許可信号を受信した複数の映像信号発生装置が送信した映像信号を１個の表示画面に同時に表示する第２の表示器とを備えた表示装置。
【請求項６】
請求項５に記載の表示装置において、
前記接続許可信号を出力する映像信号発生装置を特定する入力手段を有することを特徴とする表示装置。
【発明の詳細な説明】
【０００１】
【発明の属する技術分野】
本発明は、映像信号を発生するパーソナルコンピュータ（以後「ＰＣ」と称する）等の映像信号発生装置及び液晶プロジェクタやプラズマディスプレイなどの表示装置を備えた映像表示システムに係り、特にワイヤレス方式でＰＣやディジタルビデオディスク装置、ビデオカメラ等の映像信号を送信して表示するワイヤレス入力方式の映像表示システムに関する。
【０００２】
【従来の技術】
近年、ユーザインターフェイスとしてのグラフィカルインタフェースの発展とともにＰＣが普及してきており、その画面を液晶プロジェクタなどで拡大投射したプレゼンテーションが盛んに行われている。このようなプレゼンテーションではＰＣと液晶プロジェクタとを映像信号ケーブルで接続してＰＣ画面の映像信号を液晶プロジェクタに入力している。
【０００３】
ところが、ＰＣと液晶プロジェクタを接続する映像信号ケーブルは一般に太くて取り扱いが面倒な上、配線部が露出して見た目にもあまり美しくなく、映像信号ケーブルを用いないで映像信号の送信装置から表示装置にワイヤレス方式で映像信号を送信することへの要求が強まっている。
【０００４】
ＰＣからの映像信号ではないが、ビデオカメラからの映像信号をワイヤレス方式で伝送してテレビ受像機の表示画面上に表示する映像表示システムとして、例えば、Kenji Mastumoto et al., ”An Optical Interface System for Camera／Recorder”， IEEE transactions on Comsumer Electronics， Vol.41， No.3， August 1995， pp579-584に開示された家庭用ビデオカメラが知られている。このビデオカメラは、受光アダプタをテレビ受像機に接続し、ビデオカメラ本体の映像を赤外線としてこの受光アダプタに送信することにより、ビデオカメラで撮影した映像をワイアレス方式でテレビ受像機に伝送して再生することができる。ただし、この映像表示システムで用いる伝送信号はコンポジットビデオ信号であり周波数帯域は数ＭＨｚ程度しかなく、数十ＭＨｚ以上の周波数帯域を持つＰＣの映像信号をワイヤレス方式で送るには伝送帯域が不足する。
【０００５】
一方、ＮＥＣホームエレクトロニクス社製の液晶プロジェクタＰＣ−ＰＪ６１２にはＲＧＢ信号ワイヤレスユニットがオプションとして用意されており、これを用いた場合には、映像信号の送信装置から表示装置までワイアレス方式で映像信号を伝送することが可能である。この映像表示システムにおいては、多数の発光素子を並べた送信ユニットと多数の受光素子を並べた受信ユニットを用いて広い伝送帯域を確保し、ＰＣ映像信号をリアルタイム伝送している。
【０００６】
【発明が解決しようとする課題】
しかし、この映像表示システムでは、映像信号を単純にデジタル信号に変換してデジタル信号形態で送信しているため、映像をリアルタイムで再生するためには多数の受発光素子が必要となり(１００本程度の伝送路を設けている)、送受信ユニットのサイズが大きくなってしまっている。そのため、使い勝手の点などでワイヤレス化のメリットを十分享受できるか疑問である。また、多数の受発光素子を使うことなどで製造コストが高くなる懸念もある。さらに、映像信号の送信装置は１個のみが使用可能であり、複数の映像信号発生装置からの映像を同時にまたは切り替えて表示し得るものではなかった。
【０００７】
ところで、ＶＴＲ等の映像機器において映像を編集する際に、編集すべき映像の頭の部分に例えばタイトル等を挿入するには、タイトル画面発生用の専用機器が必要となる。この専用機器を用いないで、ＰＣでタイトル画面を発生させ、ワイアレス方式で映像機器に送信しようとすると、ＰＣの描画命令およびＲＧＢ出力信号をテレビ信号に変換する変換器が必要となる。さらに、この変換器とＰＣとをケーブル接続しなければならず、一般家庭で手軽に編集するのが困難な状況にある。
【０００８】
また、ＣＡＴＶやデジタル放送等の映像を受信するにも、機器間の煩雑な結線の操作が必要で、手軽にかつスムーズにＣＡＴＶやデジタル放送等の受信や双方向通信を行えるものではなかった。
【０００９】
本発明は、このような従来の映像表示システムの欠点を解消するためになされたものであり、１対の伝送路のみを用いて形状を小形化でき、かつ映像信号をワイアレス方式で伝送できる携帯性の高い映像表示システムを提供することを目的とする。
【００１０】
また、動画部分はスムーズな動きを再現し、静止画部分はきれいな映像を再現しうる携帯性に優れたワイアレス方式の映像表示システムを提供することを目的とする。
【００１１】
また、表示装置の復号動作の進行状況に適合して表示装置が映像信号を受け取ることができ、データのオーバーフローやデータ落ちのないスムーズな映像表示が可能なワイアレス方式の映像表示システムを提供することを目的とする。
【００１２】
また、複数の映像信号発生装置からの映像信号を受信し、１個の表示画面上に並列的に又は選択的に表示し得るワイアレス方式の映像表示システムを提供することを目的とする。
【００１３】
また、煩わしいケーブル接続を行う必要がなく、かつタイトル発生用の専用機器を用いずに、一般家庭で手軽にビデオ編集のできる映像表示システムを提供することを目的とする。
【００１４】
また、ＣＡＴＶやデジタル放送で送信される数値文字情報等の情報を、容易に映像信号発生装置に取り込むことができる映像表示システムを提供することを目的とする。
【００１５】
また、容易にかつスムーズにＣＡＴＶの双方向通信を行うことができる映像表示システムを提供することを目的とする。
【００１６】
さらに、小形の形状で、大きな伝送容量のデータを伝送することのできる映像表示システムを提供することを目的とする。
【００１７】
【課題を解決するための手段】
本発明の映像表示システムは、映像信号を送信する送信装置が、映像信号の連続する前後のフレームで異なる部分の映像信号のみを取り出す比較手段と、この比較手段の取り出した前後のフレームで異なる部分の映像信号を符号化する符号化手段とを備え、送信装置から送信された映像信号を受信して表示する表示装置が、送信装置から送信された符号化された映像信号を符号化手段の符号化方式に対応する方式で復号する復号化手段を備えたものである。これにより、伝送する映像信号のデータ量を大量に圧縮することが可能となり、ワイヤレス方式で１対の伝送路のみによって映像信号を伝送することが可能となり、送信装置及び表示装置を小形化することができ、高い携帯性が得られる。
【００１８】
また、符号化手段が、前後のフレームで異なる部分の映像信号を可逆符号化方式で符号化するものである。これにより、伝送する映像信号のデータ量を圧縮して、かつ復号化する際に符号化されたデータを完全に復号でき、ワイヤレス方式で１対の伝送路のみによって映像信号を伝送することが可能となり、送信装置及び表示装置を小形化することを可能とすると共に、ぼけや歪みの少ない再生画像を得ることができる。
【００１９】
また、送信装置が、映像信号のうち動きのある映像信号で構成される動画領域を検出する動画領域検出手段と、この動画領域検出手段で検出した動画領域の映像信号を非可逆符号化方式で符号化し、動画領域以外の映像信号を可逆符号化方式で符号化する符号化手段と、この符号化手段で符号化した信号に動画領域検出手段の検出した動画領域の範囲を示す信号を付加する符号化制御手段とを備え、表示装置が、送信装置から送信された符号化された映像信号を動画領域及びそれ以外の領域においてそれぞれ符号化手段の符号化方式に対応する方式で復号する復号化手段を備えたものである。これにより、少ない量の伝送データ量で映像の動画領域はスムーズな動きを再現でき、それ以外の動きのない部分はデータ欠落のないきれいな映像を再現することができる。
【００２０】
また、表示装置が、復号化手段の復号動作を示す制御信号を映像信号発生装置に送信する制御信号送信手段を更に備えたものである。これにより、表示装置の復号動作の進行状況に適合して表示装置が映像信号を受け取ることができ、データのオーバーフローやデータ落ちのないスムーズな映像表示が可能となる。
【００２１】
また、映像信号を発生させ、光又は電波によりこの映像信号を送信する複数の映像信号発生装置と、この複数の映像信号発生装置の送信する複数の映像信号を受信してそれぞれ独立した映像として選択的に又は並列して表示画面上に表示する表示装置とを備え、表示装置が複数の映像信号発生装置から送信される複数の映像信号をそれぞれ独立に復調する復調手段を有するものである。これにより、複数の映像信号発生装置からの映像を選択的に又は並列して１個の表示画面上に表示することができる。
【００２２】
また、映像信号を発生させ、光または電波により該映像信号を送信する複数の映像信号発生装置と、この複数の映像信号発生装置の送信する複数の映像信号を受信してそれぞれ独立した映像として選択的にまたは並列して表示画面上に表示する表示装置とを備え、複数の映像信号発生装置が、表示装置に映像信号を送信する前に接続要求信号を発生する接続要求信号発生手段を有し、表示装置が、複数の映像信号発生装置からの接続要求信号を受信する受信手段と、複数の映像信号発生装置のそれぞれに接続許可信号または接続却下信号を送信する送信手段とを有するものである。これにより、複数の映像信号発生装置が同一の搬送波を用いて同一の変調方式で変調して映像信号を送信することができ、各映像信号発生装置間で搬送周波数または変調方式を互いに変える必要がなくなる。
【００２３】
また、映像を描画するための描画命令を発生させる描画命令発生手段と、この描画命令発生手段の発生した描画命令を光又は電波により送信する送信手段と、この送信手段から送信された描画命令を受信する受信手段と、この受信手段の受信した描画命令に基づいて映像信号を生成する描画処理手段と、この描画手段の生成した映像を表示画面上に表示する表示手段とを備えたものである。これにより、映像信号そのものを送信する場合に比べて格段にデータ量の少ない描画命令を送信して、空間的に隔たった位置にある表示画面上に映像を表示でき、送信装置及び表示装置を小形化することが可能となる。
【００２４】
また、送信手段が、動画領域の映像信号に対応する描画命令と、静止画領域の映像信号に対応する描画命令とを分離して送信するものである。これにより、データ量の少ない描画命令を送信して映像を表示でき、送信装置及び表示装置を小形化することが可能となると共に、映像の動画領域はスムーズな動きを再現でき、それ以外の動きのない部分はデータ欠落のないきれいな映像を再現することができる。
【００２５】
また、表示装置が、描画処理手段の描画処理動作を示す制御信号を映像信号発生装置に送信する制御信号送信手段を更に備えたものである。これにより、表示装置の描画処理動作の進行状況に適合して表示装置が描画命令を受け取ることができ、データのオーバーフローやデータ落ちのないスムーズな映像表示が可能となる。
【００２６】
また、送信手段が、表示装置に接続され映像を録画再生する第１及び第２の映像機器の録画再生動作を制御する制御信号をも表示装置に送信し、表示装置が、表示手段並びに第１及び第２の映像機器に伝達する信号を選択する選択手段と、送信手段から送信された制御信号に基づいて選択手段の動作を制御する制御手段とを備えたものである。これにより、第１及び第２の映像機器に送信する信号を映像信号発生装置側で自由に選択できるので、ワイアレス方式で映像機器の編集動作を自由に制御できる。
【００２７】
また、表示装置が、表示手段に伝達する信号及び映像信号発生手段に送信する信号を選択する選択手段と、送信手段から送信された制御信号に基づいて選択手段の動作を制御する制御手段と、映像信号発生装置の発生した映像信号以外の映像信号を受信してデコードするデコーダを備えたものである。これにより、ＣＡＴＶやデジタル放送で送信される数値文字情報等の情報を、映像信号発生装置側の指示をワイアレスで表示装置側に送信することにより、容易に映像信号発生装置に取り込むことができる。
【００２８】
また、表示装置が、表示手段に伝達する信号及び映像信号発生手段に送信する信号並びにＣＡＴＶ映像の送信局側に送信する信号を選択する選択手段と、送信手段から送信された制御信号に基づいて選択手段の動作を制御する制御手段と、ＣＡＴＶ映像の送信局から送信された信号を受信してデコードするデコーダと、ＣＡＴＶ映像の送信局側に送信する信号をエンコードするエンコーダとを備えたものである。これにより、映像信号発生装置側からのワイアレス方式での操作によって、容易にかつスムーズにＣＡＴＶの双方向通信を行うことができる。
【００２９】
また、送信装置が、それぞれ異なる偏光方向に送信光を偏光する２系統の発光手段を有し、表示装置が、発光手段の偏光方向とそれぞれ一致する方向の偏光のみをそれぞれ受光する２系統の受光手段を有するものである。これにより、多数の発光素子及び受光素子を用いないで、２系統の発光素子と受光素子のみにより、大きな伝送容量でデータを伝送することができる。
【００３０】
【発明の実施の形態】
〔実施の形態１〕
図１は、本発明の映像表示システムの第一の実施の形態の構成を示す図である。
図１において、映像信号を発生するＰＣ等の映像信号発生装置１の映像信号出力端子には、映像信号発生装置１から出力された映像信号を可逆符号化方式で符号化して送信する送信装置２の入力端子が接続されている。送信装置２から送信された映像信号を受信し復号して光学的映像信号として投光する表示装置３が映像信号を受信し得る位置に置かれ、表示装置３の近傍には表示装置３の投光した映像信号を受光して映像として表示するスクリーン等の表示画面４が置かれている。
【００３１】
図２は、送信装置２及び表示装置３の内部の具体的構成を示すブロック図である。
図２において、送信装置２は、映像信号発生装置１から出力されるＲＧＢ信号をデジタル信号に変換するＡＤ変換器１０と、ＡＤ変換器１０から出力されるデジタル信号を記憶するメモリ１１と、このデジタル信号をメモリ１１に記憶させる書き込み動作を制御する書き込み制御回路１３と、メモリ１１から読み出したデータをランレングス符号化方式で可逆符号化を行う符号化回路１２と、メモリ１１からのデータの読み出し動作及び符号化回路１２の符号化動作の制御を行う読み出し符号化制御回路１４と、符号化回路１２で符号化した信号を光信号として送信するための変調を行う変調回路１５と、変調回路１５から出力された信号を光信号として送信するために発光ダイオードからなる出力器１７を駆動する駆動回路１６と、駆動回路１６から入力された駆動信号をＲＧＢ信号及び復号化のための制御信号から成る光信号に変換して表示装置３に送信する出力器１７と、表示装置３から送信された表示装置３の復合処理の状況を表す光信号を受光して電気信号に変換する受光素子からなる入力器１８と、入力器１８から出力される出力信号を増幅する増幅回路１９と、増幅回路１９で増幅された信号を復調する復調回路２０とから成る。
【００３２】
また、表示装置３は、送信装置２から送信された光信号を受光して電気信号に変換する受光素子から成る入力器２１と、入力器２１から出力される出力信号を増幅する増幅回路２２と、増幅回路２２で増幅したＲＧＢ信号及び制御信号を復調する復調回路２３と、復調回路２３で復調されたＲＧＢ信号を復調された制御信号に基づいて復号する復号化回路２４と、復号化回路２４で復号されたＲＧＢ信号を記憶するメモリ２５と、復号化回路２４の復号化動作及び復号した信号のメモリ２５への書き込み動作を制御すると共に復号化回路２４の復号化の状況を表すビズイ、レディ等の信号を出力する復号化書き込み制御回路２８と、メモリ２５から読み出したＲＧＢ信号を表すデータをアナログ信号に変換するＤＡ変換器２６と、メモリ２５からのデータの読み出し動作及びＤＡ変換器２６のＤＡ変換動作を制御する読み出し制御回路２７と、ＤＡ変換器２６でアナログ信号に変換されたＲＧＢ信号を光学的映像として再生し表示画面４上に投光する液晶プロジェクタから成る表示器３２と、復号化書き込み制御回路２８から出力される復号化の状況を表す信号を光信号として送信するための変調を行う変調回路２９と、変調回路２９から出力された信号を光信号として送信するために発光ダイオードからなる出力器３１を駆動する駆動回路３０と、駆動回路３０から入力された駆動信号を復号化の状況を表す読み出し符号化制御回路１４の制御のための制御信号から成る光信号に変換して送信装置２に送信する出力器３１とから成る。
【００３３】
図３は、符号化回路１２及び読み出し符号化制御回路１４の具体的構成を示すブロック図である。
図において、符号化回路１２は、メモリ１１から読み出した１フレーム分の映像データを一時的に記憶するメモリ４０と、メモリ４０から読み出したフレームの映像データとメモリ１１から読み出した次のフレームの映像データとを比較する比較回路４１と、比較回路４１で前のフレームと異なると判定された次のフレームのデータを記憶するメモリ４２と、フレーム間で異なるデータのメモリ４２への書き込み動作を制御する書き込み制御回路４３と、メモリ４２からデータを読み出してランレングス符号化方式で可逆符号化して出力する演算回路４４とから成る。
【００３４】
読み出し符号化制御回路１４は、メモリ１１からデータを読み出してメモリ４０に書き込む動作を行う読み出し書き込み制御回路４５と、演算回路４４の符号化動作を制御する演算制御回路４６とから成る。
【００３５】
図４は、復号化回路２４及び復号化書き込み制御回路２８の具体的構成を示すブロック図である。
図において、復号化回路２４は、復調回路２３で復調されたＲＧＢ信号をランレングス符号化方式に対応した復号方式で復号してメモリ２５に出力する演算回路４７から成る。
【００３６】
復号化書き込み制御回路２８は、演算回路４７の復号化動作を制御する演算制御回路４６と、メモリ２５へのデータの書き込み動作を行う書き込み制御回路４９とから成る。
【００３７】
なお、符号化回路１２、復号化回路２４及び書き込み制御回路１３等の各種制御回路は全て論理回路であり、１チップＩＣ化できる。
【００３８】
次に、本実施の形態の映像表示システムの動作を説明する。
図２において、映像信号発生装置１からＲＧＢ信号が送信装置２に入力されると、送信装置２では、入力されたＲＧＢ信号をＡＤ変換器１０でＡＤ変換してディジタル信号とする。このディジタル化された映像信号は書き込み制御回路１３により制御されてメモリ１１に書き込まれる。メモリ１１に書き込まれたデータは読み出し符号化制御回路１４で読み出され、符号化回路１２でランレングス符号化方式によって符号化されて変調回路１５に送出される。この符号化回路１２での符号化においては、前画面と次の画面の映像信号との比較を行い、両画面間で変化のある部分の映像信号のみを選択的に符号化するようにする。すなわち、図３において、読み出し書き込み制御回路４５が、メモリ１１から１フレーム分の映像データを読み出してメモリ４０に格納し、更にこのフレームの映像データをメモリ４０から読み出して比較回路４１に入力させながら次のフレームの映像データをメモリ１１から読み出して同時に比較回路４１に入力させる。比較回路４１では、同一画素における両フレーム間の映像データを比較し、両フレーム間で異なる映像データのみを書き込み制御回路４３を介してメモリ４２に書き込む。メモリ４２に書き込まれたデータは、演算回路４４で読み出しながら可逆符号化された出力される。演算回路４４の動作は、演算制御回路４６により制御され、表示装置３の複号化書き込み制御回路２８から送信される復号化回路２４の復号状況を表す信号に応じて符号化速度を落としたり、再送したりするように制御される。特に、送信装置２と表示装置３との間を人などが横切り、データ伝送が瞬断した場合の映像の乱れをなくすために、このような場合には、表示装置３側では前のフレームの映像を引き続き表示し続けると同時に、送信装置２側では送信の断絶状態が回復した直後から断絶の発生直後の映像から再送するように制御する。演算回路４４で符号化されて出力された信号は、図２の変調回路１５に入力され、変調回路１５で空間伝送のための変調処理を施される。この変調処理された信号を駆動回路１６で駆動して出力器１７から空間に放射する。
【００３９】
一方、表示装置３側では、送信装置２の出力器１７から空間に放射された信号を入力器２１で受信し、受信信号を増幅回路２２で増幅して復調回路２３に出力する。復調回路２３に入力された信号は、復調手段２３で復調される。復調された信号は復号化回路２４に送出され、復号化回路２４でランレングス符号化方式に対応した復号ルールで復号化される。この復号に際しては、前述したように送信装置２から表示装置３に送信されるデータには映像データの他に符号化条件などの復号化のための制御データが含まれているので、表示装置３ではその制御データに基づき復号化処理を行う。すなわち図４において、復調手段２３で復調された符号化データおよび上記制御データを受け入れた演算回路４７は、この制御データに基づいて符号化データをランレングス符号化方式に対応した復号ルールで復号する。演算制御回路４８は、演算回路４７での復号化状況に応じて書き込み制御回路４９を介してメモリ２５を制御して、演算回路４７で復号化された映像データをメモリ２５に書き込む。次に、図２の読み出し制御回路２７がメモリ２５からデータを読み出し、ＤＡ変換器２６によりアナログ信号に変換する。アナログ信号化されたＲＧＢ信号は表示器３２に送信され、表示器３２によって映像として表示される。また、演算制御回路４８は、演算回路４７の復号化状況を変調回路２９に送信し、変調回路２９でこの信号を空間送信するために変調する。変調された信号は、駆動回路３０によって駆動され、出力器３１によって送信装置２に送信される。
【００４０】
ここで、メモリ１１の書き込み動作時とメモリ２５の読み出し動作時のデータ転送速度はビデオレートと同じである。
【００４１】
ところで、映像信号を符号化する方式として動画ではＭＰＥＧ方式、静止画ではＪＰＥＧ方式などが主流として用いられている。これらの方式は限られた伝送帯域や記憶容量の範囲で画像データを扱うのに適した方式である。しかし、これらの方式は非可逆符号化方式であり、復号化したデータが符号化前のデータに完全に復元しないため、復号して得た画像がぼけたり歪んだりする。１ドット毎の画素データをきちんと再生してＰＣ等の映像信号発生装置からの映像をくっきりと再現するにはこの様な非可逆符号化方式は好ましくない。本実施の形態においては、データ欠落のない可逆符号化方式で符号化を行い、表示装置３でぼけや歪みの少ない良質な映像を再現することを可能とすると共に、変動のある映像成分のみを送信装置２から表示装置３に送信することにより送信データの大幅な圧縮を可能とした。これにより、送信装置２および表示装置３を小型化してその携帯性を高めることができると同時に、動きの少ないＰＣ等の映像に対しては十分な画質を確保することができる。
【００４２】
なお、本実施の形態においては、可逆符号化の方式としてランレングス符号化方式を用いたが、可変長符号化等の他の可逆符号化方式を用いることもできる。
【００４３】
また、入力器１８，２１として受光素子、出力器１７，３１として発光ダイオードを用いているので、変調復調回路１５，２９，２０，２３や駆動回路１６，３０、増幅回路１９，２２を一体的に１チップ化された安価なＩＣを利用でき、その形状も小形化できる。なお、入力器１８，２１及び出力器１７，３１は電波の送受信を行うアンテナでもよく、アンテナを用いた場合は入力器１８と出力器１７、入力器２１と出力器３１をそれぞれ１本のアンテナを用いて実現してもよい。このようにすると、コストを更に低下させることができる。また、表示手段３２として液晶プロジェクタを用いたが、ＣＲＴプロジェクタ等でもよく、さらに、表示画面４を用いない場合には、ＣＲＴディスプレイやプラズマディスプレイ等でもよい。
【００４４】
〔実施の形態２〕
図５は、本発明の第２の実施の形態の映像表示システムの構成を示す図である。本実施の形態においては、図１乃至図４に示した第１の実施の形態における送信装置２を設けず、映像信号発生装置１０１から直接映像表示用の描画命令を表示装置１０３に送信して表示画面４上に表示する。本実施の形態においては、映像信号の送信側の構成が、実施の形態１に比べて簡単な構成となる。表示装置１０３は映像信号発生装置１０１から送信される描画命令の受信が可能な位置に置かれ、表示画面４は表示装置１０３から送光される映像光を表示し得る位置に置かれる。
【００４５】
図６は映像信号発生装置１０１の具体的構成を示すブロック図である。
図６において、映像信号発生装置１０１は、映像信号発生装置１０１全体の動作を制御すると共に映像を表示するための描画命令を作成するＣＰＵ１ａと、動作制御用プログラム，映像を表示するための各種データ等を格納するＲＯＭ，ＲＡＭ及びハードディスク等から成るメモリ２ａと、映像信号発生装置１０１の各構成要素にデータ及び制御信号をそれぞれ伝達するためのデータバス及びコントロールバスからなるバス３ａと、バス３ａを介してＣＰＵ１ａから入力される描画命令に基づいて映像をディスプレイ６ａで表示するための映像信号を生成してディスプレイ６ａに出力するグラフィックアダプタ４ａと、ＣＰＵ１ａから伝達された描画命令と表示装置１０３の描画処理動作を制御するための制御信号とを赤外線に変換して空間中に発信すると共に表示装置１０３から送信される表示装置１０３の描画処理の状況に基づいた制御信号を受信してバス３ａを介してＣＰＵ１ａに送信するＩｒＤＡ規格の赤外線ポート５ａと、グラフィックアダプタ４ａから入力される映像信号に基づいて映像表示を行うディスプレイ６ａと、キーボード，マウス，ＣＤ−ＲＯＭドライブ，フロッピーディスクドライブ等とそれらから入力される信号をバス３ａに出力する入力ポートとからなる入力装置７ａとを備えている。
【００４６】
図７は、表示装置１０３の具体的構成を示すブロック図である。図７において、図２の第１の実施の形態の表示装置３と同一の構成要素には同一の番号を付し、その説明を省略する。
【００４７】
表示装置１０３は、入力器２１と、増幅回路２２と、復調回路２３と、入力信号と出力信号の切り替えを行うマルチプレクサを用いたインタフェース回路５０と、映像信号発生装置１０１から送信された描画命令に基づいて表示するためのデジタル映像信号を生成してフレームメモリ５２に出力すると共にこの映像信号生成動作の状況を示す制御信号をインタフェース回路５０に出力する描画処理回路５１と、描画処理回路５１により生成された映像信号を記憶するフレームメモリ５２と、ＤＡ変換器２６と、読み出し制御回路２７と、変調回路２９と、駆動回路３０と、出力器３１と、表示器３２とから成る。
【００４８】
次に、本実施の形態の動作を説明する。
映像信号発生装置１０１の入力装置７ａから特定の映像を表示画面４上に表示するように指示する命令が入力されたときには、この命令がバス３ａを介してＣＰＵ１ａに伝達される。この命令を受けたＣＰＵ１ａはこの命令に基づいて描画命令を作成するのに必要なデータをメモリ２ａから読み出し、読み出したデータに基づいて描画命令を作成し、バス３ａを介してグラフィックアダプタ４ａに入力する。グラフィックアダプタ４ａでは、入力された描画命令に基づいて映像信号を生成しディスプレイ６ａに出力する。ディスプレイ６ａでは、この映像信号に基づいて映像を表示する。ＣＰＵ１ａは作成した描画命令をバス３ａを介して同じに赤外線ポート５ａにも送信する。赤外線ポート５ａでは、伝送された描画命令を変調して空間中に送信する。
【００４９】
表示装置１０３では、赤外線ポート５ａから送信された描画命令を入力器２１で受信し、増幅回路２２で増幅した後、復調回路２３で復調する。復調回路２３で復調された描画命令は、インタフェース回路５０を介して描画処理回路５１に入力され、描画処理回路５１でディジタル映像信号に変換され、フレームメモリ５２に書き込まれる。フレームメモリ５２に書き込まれた映像信号のデータは読み出し制御回路２７によって読み出され、ＤＡ変換器２６に入力される。ＤＡ変換器２６に入力されたデジタル映像信号は、ＤＡ変換器２６でアナログ映像信号に変換され、ＲＧＢ信号として表示器３２に入力され、表示器３２で映像として表示される。描画処理回路５１は、ビズイ、レディ等の自己の描画処理動作の状況を示し、映像信号発生装置１０１の動作をその状況に合わせて制御するための制御信号を描画処理中発生してインタフェース回路５０を介して変調回路２９に入力する。変調回路２９では、入力された制御信号を空間伝送に適した形に変調して駆動回路３０に出力する。駆動回路３０では入力された変調信号を電力増幅して、出力器３１を介して空間に発信する。映像信号発生装置１０１では、この制御信号を赤外線ポート５ａで受信し、バス３ａを介してＣＰＵ１ａに入力して、ＣＰＵ１ａの動作を制御する。
【００５０】
なお、映像信号発生装置１０１から表示装置１０３の描画処理回路５１に送信する描画命令は映像信号発生装置１０１自身のグラフィックアダプタ６ａに送信する描画命令と基本的に同一である。ただし表示装置１０３からの返答情報として入力される制御信号に対しては、映像信号発生装置１０１自身のグラフィックアダプタ６ａからの返答情報と識別して処理する必要がある。
【００５１】
本実施の形態においては、映像信号発生装置１０１から送信するデータは描画命令であり、伝送するデータ量は単純に映像を符号化する場合に比べはるかに少ないため、１対の伝送経路のみを用いて映像のリアルタイムの伝送、表示ができる。このように映像発生装置１０１から表示装置１０３に伝送するデータを描画命令形式とすることにより伝送するデータ量を少なくすることができ、伝送時間をさらに短くでき、映像信号発生装置１０１の構成も簡単にでき、限られた伝送帯域でもぼけやひずみの少ない映像のワイヤレス伝送をコンパクトかつ安価に実現できる。
【００５２】
〔実施の形態３〕
図８は、本発明の第３の実施の形態の映像表示システムの構成を示す図である。本実施の形態においては、表示画面中に動画を表示する場合でも動きのスムーズな動画表示が実現される。図８において、映像信号発生装置１の映像信号出力端子には、映像信号発生装置１から出力された映像信号のうち動画領域の映像信号を非可逆符号化方式のＭＰＥＧ方式で符号化しこの領域以外の領域の映像信号は予測符号化方式及び可変長符号化方式で符号化して送信する送信装置２０２の入力端子が接続されている。送信装置２０２から送信された映像信号を受信し復号して光学的映像信号として投光する表示装置２０３が、送信された映像信号を受信し得る位置に置かれ、表示装置２０３の近傍には表示装置２０３の投光した映像を受光して映像として表示する表示画面４が置かれている。
【００５３】
図９は送信装置２０２及び表示装置２０３の具体的構成を示すブロック図である。図９において、図２の送信装置２及び表示装置３の各構成要素と同一の構成要素には同一の番号を付し、その説明を省略する。
【００５４】
図９において、送信装置２０２は、ＡＤ変換器１０と、メモリ１１と、書き込み制御回路１３と、メモリ１１に書き込まれたデータ中から映像に動きのある動画領域のデータを検出する動画部検出回路５３と、動画部検出回路５３の検出した動画領域の映像データはＭＰＥＧ方式で符号化しこの領域以外の領域の映像信号は予測符号化方式及び可変長符号化方式で符号化する符号化回路１１２と、メモリ１１からデータの読み出しを行うと共に動画部検出回路５３及び符号化回路１１２の動作を制御する読み出し符号化制御回路１１４と、変調回路１５と、駆動回路１６と、出力器１７と、入力器１８と、増幅回路１９と、復調回路２０とから成る。
【００５５】
表示装置２０３は、入力器２１と、増幅回路２２と、復調回路２３と、ＭＰＥＧ方式で符号化されたデータはＭＰＥＧ方式に対応する復号化ルールにより復号化し、予測符号化方式及び可変長符号化方式で符号化されたデータはそれぞれの符号化方式に対応する復号化ルールにより復号化する復号化回路１２４と、メモリ２５と、復号化回路１２４の復号動作を制御し復号化回路１２４で復号したデータをメモリ２５に書き込むと共に復号化回路１２４の復号動作の進行状況に応じて送信装置２０２の送信動作を制御するための制御信号を出力する復号化書き込み制御回路１２８と、ＤＡ変換器２６と、読み出し制御回路２７と、変調回路２９と、駆動回路３０と、出力器３１と、表示器３２とから成る。
【００５６】
図１０は、符号化回路１１２の具体的構成を示すブロック図である。図１０において、スイッチＳＷ１，ＳＷ２は連動して動作し、それぞれの共通端子はメモリ１１の出力端子と変調回路１５の入力端子にそれぞれ接続され、それぞれの動画領域の映像信号の符号化時に切り替えられる接点間にはＭＰＥＧ符号化回路１１２ｃが接続され、それぞれの動画領域以外の映像信号の符号化時に切り替えられる接点間には予測符号化回路１１２ａと可変長符号化回路１１２ｂの直列接続分岐が接続されている。
【００５７】
図１１は、復号化回路１２４の具体的構成を示すブロック図である。図１１において、スイッチＳＷ３，ＳＷ４は連動して動作し、それぞれの共通端子は復調回路２３の出力端子とメモリ２５の入力端子にそれぞれ接続され、それぞれの動画領域の映像信号の復号時に切り替えられる接点間にはＭＰＥＧ符号化方式に対応したルールで復号するＭＰＥＧ復号化回路１２４ｃが接続され、それぞれの動画領域以外の映像信号の復号時に切り替えられる接点間には可変長符号化方式に対応したルールで復号する可変長復号化回路１２４ａと予測符号化方式に対応したルールで復号する予測復号化回路１２４ｂの直列接続分岐が接続されている。
【００５８】
次に、本実施の形態の動作を説明する。
動画部検出回路５３は、メモリ１１から読み出したデータのうち動きのあるデータの映像領域を計算し、その領域の水平方向および垂直方向の始点と終点との位置関係から四角形であることを判定する。また、ヒストグラム処理を施してその領域の画像が自然画に近いか否か判定するようにすることで動画領域の検出精度を上げている。このようにして動画部検出回路５３で動画領域を識別しておき、この動画領域のデータをメモリ１１から読み出す時にはスイッチＳＷ１，ＳＷ２をＭＰＥＧ符号化回路１１２ｃ側に切り替えて、この領域に対するデータをＭＰＥＧ方式で符号化し、この領域以外のデータを読み出す時にはスイッチＳＷ１，ＳＷ２を予測符号化回路１１２ａおよび可変長符号化回路１１２ｂ側に切り替えて、予測符号化回路１１２ａおよび可変長符号化回路１１２ｂにより予測符号化と可変長符号化を組み合わせて符号化する。復号化回路１２４側でも符号化回路１１２側に対応してスイッチＳＷ３，ＳＷ４を切り替えて、それぞれの方式に対応した復号を行う。また、符号化制御回路１１４における復号化のために動画領域の位置とその部分の符号化方式を示す制御信号を読み出し符号化回路１１２で符号化する映像データに付加して送信装置２０２から送信する。
【００５９】
周知のようにＭＰＥＧ方式は動画像表示に適した符号化方式で、限られた伝送帯域でも動きのスムーズな画像を再生できる。このように、動きのある領域とそれ以外の領域とで符号化の方式を分けることにより、限られた伝送帯域を用いて文字やグラフィックの動きのない領域はデータ欠落のないきれいな映像表示を、動きのある領域はスムーズな動きを再現することができる。
【００６０】
〔実施の形態４〕
図１２は、本発明の第４の実施の形態の映像表示システムの構成を示す図である。本実施の形態においては、第２の実施の形態と同様に送信装置を設けず、映像信号発生装置３０１から直接映像表示用の描画命令を表示装置１０３に送信して表示画面４上に表示する。表示装置１０３は映像信号発生装置３０１から送信される描画命令の受信が可能な位置に置かれ、表示画面４は表示装置１０３から照射される映像光を表示し得る位置に置かれる。
【００６１】
映像信号発生装置３０１の具体的構成は図６に示した映像信号発生装置１０１の構成と同一である。ただ、本実施の形態においては、グラフィックアダプタ４ａにＣＰＵ１ａが送信する描画命令は、図１３に示すように、動画領域の映像データに基づく描画命令１３ａの間に静止画領域の映像データに基づく描画命令１３ｂが挟まった形で送信される。すなわち、動画領域の描画命令１３ａを転送するときには、表示画面４上での動画領域の映像の動きがスムーズになるように描画命令１３ａの転送時間間隔をＣＰＵ１ａが管理しており、動画領域の描画命令１３ａの間に静止画領域の描画命令１３ｂを送信するのである。表示装置１０３は図７に示した第２の実施の形態の表示装置１０３と同一の構成であり、描画処理回路５１により映像信号発生装置３０１から送信された描画命令に基づいて表示するためのデジタル映像信号を生成する。また、ＣＰＵ１ａは、動画領域の位置を示すアドレス信号を描画命令と共に送信して、表示装置１０３が動画表示の位置を決定できるようにする。
【００６２】
本実施の形態においては、特定領域に動画などがはめ込まれて表示される場合でも、映像信号発生装置３０１から直接表示装置１０３に描画命令をワイヤレス伝送し、少ない量の伝送データを用いて、文字，グラフィック等の静止画像をきれいに表示できると共に、動画のスムーズな表示が可能となる。
【００６３】
〔実施の形態５〕
図１４は、本発明の第５の実施の形態の映像表示システムの構成を示す図である。また、図１５は、図１４の実施の形態の表示装置４０３の具体的構成を示すブロック図である。本実施の形態においては、複数の映像信号発生装置からの映像を表示装置４０３にワイヤレス方式で入力できる。すなわち、送信装置２から送信されるディジタル系の映像信号発生装置１の映像情報と、映像信号発生装置５のアナログ系の映像情報を表示装置４０３に送信し、表示装置４０３で両者の映像信号を再生表示する。映像信号発生装置５はＶＴＲであり、出力映像信号をＮＴＳＣ方式のワイヤレス伝送回路で直接変調して伝送する。本実施の形態においても、以前に説明した実施の形態の構成要素と同一の構成要素には同一の番号を付し、その説明を省略する。
【００６４】
図１５において、表示装置４０３は、アナログ系の信号処理系統と、デジタル系の信号処理系統とを備え、その両者をスイッチ６３で切り替えて表示器３２に接続する。アナログ系の信号処理系統は、アナログ系の映像信号を受信する受光素子から成る入力器６５と、入力器６５から出力される電気信号に変換された映像信号を増幅する増幅回路６６と、増幅回路６６で増幅されて出力される信号を復調する復調回路６７と、復調回路６７で復調された信号をＲＧＢ信号に変換するＲＧＢ変換回路６４とから成る。ディジタル系の信号処理系統は、入力器２１と、増幅回路２２と、復調回路２３と、復号化回路２４と、メモリ２５と、ＤＡ変換器２６と、読み出し制御回路２７と、復号化書き込み制御回路２８と、変調回路２９と、駆動回路３０と、出力器３１とから成る。また、復調したアナログ映像信号の信号レベル，復号化したディジタル映像データの有無を検出する入力検出回路６０が、復調回路６７及び復号化回路２４の出力端子に接続され、入力検出回路６０の出力端子がモニタである表示器６１の入力端子に接続されている。さらに、スイッチ６３を切り替える切り替え信号を入力する切り替え入力装置６２が設けられている。
【００６５】
次に、本実施の形態の動作を説明する。
映像信号発生装置１及び５は、それぞれデジタル及びアナログの映像信号を発生し、映像信号発生装置１は送信装置２を介して、映像信号発生装置５は直接に、それぞれの映像信号を表示装置４０３に送信する。表示装置４０３では、映像信号発生装置５から送信されたアナログ系の映像信号は、入力器６５で受信して電気信号に変換し、この映像信号を増幅回路６６で増幅して復調回路６７で復調する。復調回路６７で復調された映像信号は、ＲＧＢ変換回路６４でＲＧＢ信号に変換されスイッチ６３の一方の切り替え接点に出力されると共に、入力検出回路６０で検出され、表示器６１上に表示されて何が入力されているのかモニタされる。送信装置２から送信されたデジタル系の映像信号は、上述したデジタル系の信号処理系統で復号され入力検出回路６０で検出されて表示器６１上に表示されると同時に、ＤＡ変換器２６でアナログのＲＧＢ信号に変換されてスイッチ６３の他方の切り替え接点に出力される。スイッチ６３は、切り替え入力装置６２から入力される切り替え信号により切り替えられ、デジタル系又はアナログ系の映像信号に基づく映像を表示器３２上に表示すべく表示器３２に出力する。表示器３２上に表示された映像は、表示画面４に投光され、表示画面４上に拡大表示される。
【００６６】
本実施の形態によれば、ワイヤレス方式で複数の映像信号発生装置から送信される映像信号を１台の表示装置で受信し再生することができる。
【００６７】
〔実施の形態６〕
図１６は、本発明の第６の実施の形態の映像表示システムの構成を示す図である。また、図１７は、図１６の実施の形態の表示装置５０３の具体的構成を示すブロック図である。本実施の形態においても、複数の映像信号発生装置からの映像を表示装置５０３にワイヤレス方式で入力できる。すなわち、映像信号発生装置１０５から送信される第１のデジタル系１の映像情報と、このデジタル系１の映像情報とは異なる搬送周波数を有する、送信装置２から送信される第２のディジタル系２の映像情報とを表示装置５０３で受信しそれぞれ独立の映像として再生表示する。映像信号発生装置１０５はＶＴＲであり、出力映像信号をデジタル信号として変調して送信する。本実施の形態においても、以前に説明した実施の形態の構成要素と同一の構成要素には同一の番号を付し、その説明を省略する。
【００６８】
図１７において、表示装置５０３は、入力器２１と、増幅回路２２と、デジタル系１又はデジタル系２のいずれの映像信号を復調すべきか選択する切り替え入力装置７０と、切り替え入力装置７０により選択された方の映像信号を復調する復調回路１２３と、復号化回路２４と、メモリ２５と、ＤＡ変換器２６と、読み出し制御回路２７と、復号化書き込み制御回路２８と、変調回路２９と、駆動回路３０と、出力器３１と、表示器３２とから成る。
【００６９】
次に、本実施の形態の動作を説明する。
映像信号発生装置１０５及び１は、それぞれデジタル系１及び２の映像信号を発生し、映像信号発生装置１は送信装置２を介して、映像信号発生装置１０５は直接に、搬送周波数の異なるそれぞれの映像信号を表示装置５０３に送信する。表示装置５０３では、デジタル系１及び２の映像信号を双方とも入力器２１で受信して電気信号に変換し、電気信号に変換された映像信号を増幅回路２２で増幅して復調回路１２３に出力する。復調回路１２３では、切り替え入力装置７０によって指定された搬送周波数の映像信号のみを復調し、復調された映像信号は復号化回路２４で復号される。以後の動作は第１の実施の形態の表示装置３の動作と同様であるから、その説明を省略する。
【００７０】
本実施の形態によれば、少ない構成部品で、ワイヤレス方式で複数の映像信号発生装置から送信される映像信号を１台の表示装置で受信し再生することができる。
【００７１】
〔実施の形態７〕
図１８は、本発明の第７の実施の形態の映像表示システムの構成を示す図である。また、図１９は、図１８の実施の形態の表示装置６０３の具体的構成を示すブロック図である。本実施の形態においても、複数の映像信号発生装置からの映像を表示装置６０３にワイヤレス方式で入力できる。すなわち、映像信号発生装置２０５から送信される第１のデジタル系１の映像情報と、このデジタル系１の映像情報と同一の搬送周波数を有する、送信装置６０２から送信される第２のディジタル系２の映像情報とを表示装置６０３で受信しそれぞれ独立の映像として再生表示する。映像信号発生装置１０５はＶＴＲであり、出力映像信号をデジタル信号として変調して送信する。本実施の形態が第６の実施の形態と異なるのは、映像信号発生装置２０５及び送信装置６０２がそれぞれ接続要求信号Ｓ１，Ｓ２及び自己を識別するためのＩＤ信号を映像信号を送信する前に表示装置６０３に発信し、表示装置６０３から接続許可信号Ｒ１を受けた方のみが映像信号を送信し、接続却下信号Ｒ２を受けた方は映像信号を送信しない点である。なお、本実施の形態においても、以前に説明した実施の形態の構成要素と同一の構成要素には同一の番号を付し、その説明を省略する。
【００７２】
図１９において、表示装置６０３は、接続要求信号Ｓ１，Ｓ２を受信するための入力器７５と、入力器７５で受信した接続要求信号Ｓ１，Ｓ２を増幅する増幅回路７６と、増幅回路７６で増幅された接続要求信号Ｓ１，Ｓ２を復調する復調回路７７と、復調回路７７で復調された接続要求信号Ｓ１，Ｓ２を検出する入力検出回路７８と、入力検出回路７８で検出した接続要求信号Ｓ１，Ｓ２を表示する表示器７９と、入力器２１と、増幅回路２２と、復調回路２３と、復号化回路２４と、メモリ２５と、ＤＡ変換器２６と、読み出し制御回路２７と、接続許可信号Ｒ１を送信すべき映像信号発生装置を選択する切り替え入力装置１７０と、復号化した映像信号をメモリ２５に書き込むと同時に切り替え入力装置１７０の指定に応じて接続許可信号Ｒ１と接続却下信号Ｒ２とにそれぞれを送信すべき映像信号発生装置のＩＤ信号を付加して変調回路２９に出力する復号化書き込み制御回路２２８と、変調回路２９と、駆動回路３０と、出力器３１と、表示器３２とから成る。
【００７３】
次に、本実施の形態の動作を図２０のフローチャートを参照しながら説明する。
映像信号発生装置２０５及び送信装置６０２は、それぞれ乱数Ｒを発生させ（ステップＳＴ１）、発生させた乱数Ｒに相当する時間だけ待機した後（ステップＳＴ２）、自己のＩＤ信号及び接続要求信号Ｓ１，Ｓ２を送信する（ステップＳＴ３）。これは、映像信号発生装置２０５及び送信装置６０２が、ＩＤ信号及び接続要求信号Ｓ１，Ｓ２を同一の搬送周波数を用いて同時に発信すると、復調回路７７で混変調を起こし、有意なデータを復調できなくなるため、接続要求信号Ｓ１，Ｓ２を送信するタイミングをばらばらなタイミングになるようにしたものである。
【００７４】
表示装置６０３においては、入力器７５で接続要求信号Ｓ１，Ｓ２を受信し、電気信号に変換して増幅回路７６に出力する。増幅回路７６では入力された接続要求信号Ｓ１，Ｓ２を増幅し、復調回路７７に出力する。復調回路７７では、増幅された接続要求信号Ｓ１，Ｓ２を復調して入力検出回路７８に出力する。以上の動作が図２０のステップＳＴ１１の受信処理動作である。
【００７５】
入力検出回路７８では、復調回路７７から入力された信号が接続要求信号であるか否かを判別し（ステップＳＴ１２）、接続要求信号である場合にはそれぞれに付加されたＩＤ信号を判別して（ステップＳＴ１３）、入力された信号の状態、すなわち入力された接続要求信号とＩＤ信号の内容、を表示器７９に表示する（ステップＳＴ１４）。受信した信号がまだ他に存在する場合には上述した動作を繰返し、それ以上存在しない場合には受信処理動作を終了する（ステップＳＴ１５）。
【００７６】
人が表示器７９の表示を見て切り替え入力装置１７０を用いて映像表示すべき映像信号発生装置を指定すると、この指定に基づく切り替え信号が復号化書き込み制御回路２２８に入力される（ステップＳＴ２１）。復号化書き込み制御回路２２８では、この切り替え信号に基づき接続許可信号Ｒ１と接続却下信号Ｒ２とを生成し、変調回路２９、駆動回路３２及び出力器３１を介して映像信号発生装置２０５及び送信装置６０２に送信する（ステップＳＴ２２）。
【００７７】
送信装置６０２及び映像信号発生装置２０５では、この接続許可信号Ｒ１と接続却下信号Ｒ２とを受信し（ステップＳＴ４）、それぞれの信号に付せられたＩＤ信号が自己のＩＤと一致するか否かを判別し（ステップＳＴ５）、自己のＩＤが接続許可信号に付されている場合には（ステップＳＴ６）、映像信号を表示装置６０３に送信する（ステップＳＴ７，８）。なお、映像信号発生装置２０５及び送信装置６０２の具体的構成は開示していないが、映像信号発生装置２０５の映像信号の符号化及び接続許可信号Ｒ１，接続却下信号Ｒ２の受信部並びに送信装置６０２の全体の構成は、図２に開示した第１の実施の形態の送信装置２の構成と同一であり、図２の送信装置２の読み出し符号化制御回路１４に相当する回路が、ＩＤ信号の発生、受信したＩＤ信号の判別、接続許可，不許可の判別及び接続許可の場合の映像信号の符号化と送信制御とを行う。
【００７８】
表示装置６０３では、接続許可を受けた映像信号発生装置から送信される映像データを入力器２１で受信し、上述した第１の実施の形態の表示装置３と同じ復号動作を行い、表示器３２上に表示する（ステップＳＴ２４）。
【００７９】
本実施の形態においては、同一の搬送波を用いて同一の変調方式で変調した複数の映像信号発生装置からの映像データを１個の表示装置で受信することができ、映像信号発生装置側で互いに搬送波を変えたり、変調方式を変えたりする必要がない。
【００８０】
なお、第５ないし第７の実施の形態では、複数の映像信号発生装置のうち１個の映像信号発生装置のみを選択してその映像信号を表示画面上に表示する構成としたが、複数の映像信号発生装置からの映像を同時に並列的に１個の表示画面上に表示するような構成にしてもよい。すなわち、第５の実施の形態では、図１５の切り替え入力装置６２およびスイッチ６３を取り除き、ＲＧＢ変換回路６４およびＤＡ変換器２６の出力を直接表示器３２に入力するようにする。また、第６の実施の形態では、切り替え入力装置７０を取り除き、復調回路１２３でデジタル系１および２の両信号とも復調するようにする。さらに、第７の実施の形態では、各映像信号発生装置に対し異なる時間にそれぞれ接続許可信号を送信し、両映像信号発生装置からの映像信号を全てメモリ２５に記憶させた上で、読み出し制御回路２７で両映像信号発生装置からの映像データを同時に読み出すようにすればよい。各映像信号発生装置から送信されるデータには映像データの他に映像を表示すべき番地のデータも付加されているので、同一の表示画面上に複数の映像信号発生装置からの映像を同時に表示する時には、映像信号発生装置側で各映像信号発生装置からの映像が表示画面の同一の画素上に重複して再生されないように番地のデータを付加するか、または、表示装置側で、読み出し制御回路２７がメモリ２５の映像データを読み出す時に、読み出し制御回路２７が各映像信号発生装置からのデータが互いに重複して表示されないように読み出すようにすればよい。このようにして、複数の映像信号発生装置からの映像を同一の表示画面上に同時に並列して表示することもできる。
【００８１】
〔実施の形態８〕
図２１は、本発明の映像表示システムの第８の実施の形態の構成を示す図である。この実施の形態はワイヤレス伝送を応用したもので、テレビを利用して家庭で簡単にビデオ編集できる映像表示システムである。この映像表示システムは、タイトル画面等の挿入映像を作成して作成した映像を描画する描画命令及び表示装置７の動作を制御する制御信号を送信するＰＣを用いた映像信号発生装置７０１と、映像信号発生装置７０１から送信される描画命令及び制御信号を受信して映像として表示すると共に編集動作を行う表示装置７と、表示装置７に編集すべき映像信号を入力するＶＴＲ８と、表示装置７で編集した映像信号を録画するＶＴＲ９とから構成されている。
【００８２】
図２２は、表示装置７の具体的構成を示すブロック図である。これまでの実施の形態の説明と同様に、それ迄に説明した実施の形態の構成要素と同一の構成要素には同一の番号を付し、その説明を省略する。
【００８３】
図２２において、表示装置７は、入力器２１と、増幅回路２２と、復調回路２３と、入力信号と出力信号の切り替えを行うマルチプレクサを用いたインタフェース回路１５０と、映像信号発生装置７０１から送信された描画命令に基づいて表示器１３２上に表示するためのデジタル映像信号を生成してフレームメモリ５２に出力すると共にこの映像信号生成動作の状況を示す制御信号をインタフェース回路１５０に出力する描画処理回路１５１と、フレームメモリ５２と、ＤＡ変換器２６と、インタフェース回路１５０，描画処理回路１５１及び読み出し制御回路２７の動作を制御する制御回路８０と、映像信号発生装置７０１からの描画命令に基づいて生成された映像並びにＶＴＲ８から入力される映像及び音声を再生して表示するＣＲＴ及びその駆動回路並びにスピーカから構成される表示器１３２とから成る。
【００８４】
次に、本実施の形態の動作を説明する。
映像信号発生装置７０１からある映像を作成する描画命令が送信され、表示装置７の入力器２１で受信されると、この描画命令は、入力器２１で電気信号に変換され、増幅回路２２で増幅され、復調回路２３で復調される。復調された描画命令はインタフェース回路１５０を介して描画処理回路１５１に入力され、ここでデジタル映像信号に変換された後フレームメモリ５２に書き込まれる。読み出し制御回路２７がフレームメモリ５２からデータを読み出し、ＤＡ変換器２６でアナログのＲＧＢ信号に変換した後、表示器１３２の画面に映像として表示する。ＤＡ変換器２６から出力されるＲＧＢ信号は、同時にインタフェース回路１５０にも入力され、制御回路８０の制御に基づきインタフェース回路１５０が切り替えられ、このＲＧＢ信号がＶＴＲ９に入力される。一方、ＶＴＲ８から出力される映像信号及び音声信号は、インタフェース回路１５０を介して表示器１３２に入力され、表示器１３２の画面上に表示されると同時に、制御回路８０の制御に基づきインタフェース回路１５０が切り替えられて、このインタフェース回路１５０を介してＶＴＲ９に入力される。特に図示はしないが、表示器１３２の画面上には、映像信号発生装置７０１及びＶＴＲ８から入力された映像並びにＶＴＲ９に出力する映像の３系統の映像を同時に画面に表示できる。また、上述の通り、映像信号発生装置ＰＣ７０１からは制御信号が出力されており、この制御信号は、インタフェース回路１５０を介して制御回路８０に入力され、制御回路８０によってインタフェース回路１５０の切り替え動作、ＶＴＲ８，９の動作を制御する制御信号としてそれぞれの回路の伝送される。
【００８５】
例えば、映像信号発生装置７０１でタイトル画面作成し、このタイトル画面を描画するための描画命令を表示装置７に送信する。表示装置７では、この描画命令に基づいて送信されたタイトル画面を再生し、表示器１３２の画面の一部に表示する。また、映像信号発生装置７０１から制御信号を送信し、表示装置７を介してＶＴＲ８を動作させ、ＶＴＲ８に録画されている映像を再生して表示装置７の表示器１３２の画面の一部に表示する。操作者は、映像信号発生装置７０１を操作して、所望のシーンでＶＴＲ８の再生動作を一時停止させる。表示器１３２の画面上には、タイトル画面と一時停止させたＶＴＲ８の映像とが並列して表示されている。操作者は、次ぎに、映像信号発生装置７０１を操作して、ＶＴＲ９の録画動作を開始させると同時に、制御回路８０を介してインタフェース回路１５０を切り替えて、映像信号発生装置７０１から送信されたタイトル画面をＶＴＲ９に記録させる。一定時間経過した後、ＶＴＲ８の再生動作の一時停止を解除して、再生動作を再開する。それと同時に、インタフェース回路１５０を切り替え、ＶＴＲ８から入力される映像信号及び音声信号をインタフェース回路１５０を介して表示器１３２の他にＶＴＲ９にも入力させ、所望シーンをＶＴＲ９に記録する。なお、言うまでもないことであるが、映像信号発生装置７０１には編集用のアプリケーションソフトが稼動している。
【００８６】
以上のようにして、映像信号発生装置７０１の映像をワイヤレス伝送して表示装置７に送信して画面上に再生すると共に、ＶＴＲ８，９を操作し、映像信号発生装置７０１で生成した映像をＶＴＲ８の再生画面中に挿入するなどして、本格的な編集機器を用いずに、家庭で簡単にビデオ編集ができる。すなわち、ＰＣとテレビを利用した編集が複雑な配線なしに簡単に実現できる。
【００８７】
〔実施の形態９〕
図２３は、本発明の第９の実施の形態の映像表示システムの表示装置１０７の具体的構成を示すブロック図である。本実施の形態は、ＣＡＴＶやディジタル放送で送られてくる情報をワイヤレスで簡単にＰＣである映像信号発生装置に取り込むことのできる映像表示システムである。図において、上述した各実施の形態の説明と同様に、既に先行して説明した実施の形態の構成要素と同一の構成要素には同一の番号を付し、その説明を省略する。
【００８８】
表示装置１０７は、入力器２１と、増幅回路２２と、復調回路２３と、インタフェース回路２５０と、描画処理回路１５１と、映像信号発生装置７０１から送信され描画処理回路１５１で描画処理されたデジタル映像データとＣＡＴＶやディジタル放送で送信されデコーダ８５でデコードされたデジタル映像データとを記憶するフレームメモリ１５２と、ＤＡ変換器２６と、インタフェース回路２５０，描画処理回路１５１及び読み出し制御回路２７の動作を制御する制御回路１８０と、映像信号発生装置７０１からの描画命令に基づいて生成された映像並びにＣＡＴＶやディジタル放送で送信されデコーダ８５でデコードされた映像及び音声を再生して表示するＣＲＴ及びその駆動回路並びにスピーカから構成される表示器１３２と、ＣＡＴＶやディジタル放送で送信された映像データをデコードするデコーダ８５と、デコーダ８５でデコードした映像信号に基づきこの映像を映像信号発生装置７０１の表示画面上に描画するための描画命令を発生させる描画命令発生回路８６とから成る。
【００８９】
次に、本実施の形態の動作を説明する。
送信されてくるＣＡＴＶやディジタル放送の信号をデコーダ８５でデコードし、デコードした例えば株価情報等の数値文字情報をインタフェース回路２５０を介してフレームメモリ１５２に格納する。このデータを読み出し制御回路２７で読み出してＤＡ変換器２６でアナログのＲＧＢ信号に変換し、表示器１３２の画面上に表示する。一方、デコーダ８５でデコードされた数値文字情報に基づいて、描画命令発生回路８６が描画命令を生成し、デコードされた数値文字情報と共に、インタフェース回路２５０、変調回路２９、駆動回路３０及び出力器３１を介して映像信号発生装置７０１に送信する。映像信号発生装置７０１では、受信した数値文字情報をそのメモリに格納すると同時にそのディスプレイ上に表示する。勿論、映像信号発生装置７０１その数値文字情報を処理するアプリケーションソフトがインストールされている。
【００９０】
本実施の形態によれば、ＣＡＴＶやデジタル放送のデータをワイアレス方式で、容易に映像信号発生装置内に取り込むことができる。
【００９１】
〔実施の形態１０〕
図２４は、本発明の第１０の実施の形態の映像表示システムの表示装置２０７の具体的構成を示すブロック図である。本実施の形態は、ＣＡＴＶ等の双方向システムでその情報をワイヤレスで簡単に映像信号発生装置内に取り込むことができると共に、映像信号発生装置から情報発信もすることのできる映像表示システムである。図において、上述した各実施の形態の説明と同様に、既に先行して説明した実施の形態の構成要素と同一の構成要素には同一の番号を付し、その説明を省略する。
【００９２】
表示装置２０７は、入力器２１と、増幅回路２２と、復調回路２３と、インタフェース回路３５０と、描画処理回路１５１と、フレームメモリ１５２と、ＤＡ変換器２６と、インタフェース回路３５０，描画処理回路１５１及び読み出し制御回路２７の動作を制御する制御回路２８０と、表示器１３２と、デコーダ８５と、描画命令発生回路８６と、映像信号発生装置７０１で発生させた映像をＣＡＴＶ側に送信するためにエンコードするエンコーダ８７とから成る。
【００９３】
次に、本実施の形態の動作を説明する。
映像信号発生装置７０１から送信され、復調回路２３，描画処理回路１５１でそれぞれ復調，描画処理されてデジタル映像データに変換された映像信号は一旦フレームメモリ１５２に格納される。この映像データをＣＡＴＶ側に送信するには、映像信号発生装置７０１から表示装置２０７に制御信号を送信し、制御回路２８０が、この制御信号に基づいて読み出し制御回路２７０を制御し、フレームメモリ１５２からこの映像データを読み出す。読み出された映像ぞデータは、インタフェース回路３５０を介してエンコーダ８７に転送され、エンコーダ８７でＣＡＴＶの信号形式にエンコードされてＣＡＴＶ側に転送される。
【００９４】
本実施の形態によれば、映像信号発生装置と表示装置とをワイアレス方式で結んで、ＣＡＴＶの双方向通信を容易にスムーズに行うことができる。
【００９５】
〔実施の形態１１〕
図２５は、本発明の第１１の実施の形態の構成を示す図である。この実施の形態は、空間伝送される光に偏光を与えて伝送容量を２倍にするものである。
【００９６】
発光素子９１，９３は、前述した各実施の形態の送信装置の出力器に相当し、発光素子９１，９３をそれぞれ駆動する駆動回路９０，９２は、前述した各実施の形態の送信装置の駆動回路に相当する。発光素子９１，９３の前方には、それぞれ右回りの偏光板９８および左回りの偏光板９９が設置されている。また、前述した各実施の形態の表示装置の入力器に相当する受光素子９４，９６の前方には、それぞれ右回りの偏光板１９８および左回りの偏光板１９９が設置されている。受光素子９４，９６の出力端子には、前述した各実施の形態の表示装置の増幅回路に相当する増幅器９５，９７が接続されている。
【００９７】
次に、本実施の形態の動作を説明する。
発光素子９１，９３が駆動回路９０，９２でそれぞれ駆動されると、発光素子９１，９３から光が放射される。発光素子９１から放射された光は右回り偏光板９８を通過して右回りの偏光になる。一方、発光素子９３から放射された光は左回り偏光板９９を通過して左回りの偏光になる。受光部には右回り，左回りそれぞれの光が達するが、受光側の右回り偏光板１９８を通過できるのは送信側の右回り偏光板９８を通過した光だけであり、受光側の左回り偏光板１９９を通過できるのは送信側の左回り偏光板９９を通過した光だけである。
【００９８】
したがって、発光素子９１，９３の２系統で発光した信号は相互に混信することなく別々に伝送することができ、信号の伝送容量を２倍にすることができる。
【００９９】
なお、以上の説明においては、重に液晶プロジェクタを例にとって説明したが、本発明は、壁掛けテレビとして期待されているプラズマディスプレイ等のフラットディスプレイなどいろいろなディスプレイに適用できる。
【０１００】
【発明の効果】
本発明によれば、小型軽量で安価にワイヤレス方式で映像信号を伝送でき、ワイヤレス化によりビデオ編集やＰＣ等の映像信号発生装置とテレビ等の表示装置間の情報交換等が簡単にできる。
【図面の簡単な説明】
【図１】図１は、本発明の第１の実施の形態の構成を示す図である。
【図２】図２は、図１の実施の形態の送信装置及び表示装置の具体的構成を示すブロック図である。
【図３】図３は、図２の実施の形態の符号化回路及び読み出し符号化制御回路の具体的構成を示すブロック図である。
【図４】図４は、図２の実施の形態の復号化回路及び復号化書き込み制御回路の具体的構成を示すブロック図である。
【図５】図５は、本発明の第２の実施の形態の構成を示す図である。
【図６】図６は、図５の実施の形態の映像信号発生装置の具体的構成を示すブロック図である。
【図７】図７は、図５の実施の形態の表示装置の具体的構成を示すブロック図である。
【図８】図８は、本発明の第３の実施の形態の構成を示す図である。
【図９】図９は、図８の実施の形態の送信装置及び表示装置の具体的構成を示すブロック図である。
【図１０】図１０は、図９の実施の形態の符号化回路の具体的構成を示すブロック図である。
【図１１】図１１は、図９の実施の形態の復号化回路の具体的構成を示すブロック図である。
【図１２】図１２は、本発明の第４の実施の形態の構成を示す図である。
【図１３】図１３は、図１２の実施の形態で伝送するデータの構成を示す図である。
【図１４】図１４は、本発明の第５の実施の形態の構成を示す図である。
【図１５】図１５は、図１４の実施の形態の表示装置の具体的構成を示すブロック図である。
【図１６】図１６は、本発明の第６の実施の形態の構成を示す図である。
【図１７】図１７は、図１６の実施の形態の表示装置の具体的構成を示すブロック図である。
【図１８】図１８は、本発明の第７の実施の形態の構成を示す図である。
【図１９】図１９は、図１８の実施の形態の表示装置の具体的構成を示すブロック図である。
【図２０】図２０は、図１９の実施の形態の映像信号発生装置及び送信装置並びに表示装置の動作を示すフローチャートである。
【図２１】図２１は、本発明の第８の実施の形態の構成を示す図である。
【図２２】図２２は、図２１の実施の形態の表示装置の具体的構成を示すブロック図である。
【図２３】図２２は、本発明の第９の実施の形態の表示装置の具体的構成を示すブロック図である。
【図２４】図２４は、本発明の第１０の実施の形態の表示装置の具体的構成を示すブロック図である。
【図２５】図２５は、本発明の第１１の実施の形態の構成を示す図である。
【符号の説明】
１，５，１０１，１０５，２０５，３０１，７０１  映像信号発生装置
１ａ  ＣＰＵ
２，２０２，６０２  送信装置
３，７，１０３，１０７，２０３，２０７，４０３，５０３，６０３  表示装置
４  表示画面
５ａ  赤外線ポート
８，９  ＶＴＲ
１２，１１２  符号化回路
１３，４３，４９  書き込み制御回路
１３ａ  動画部データ
１３ｂ  静止画部データ
１４，１１４  読み出し符号化制御回路
１５，２９  変調回路
１７，３１  出力器
１８，２１，６５，７５  入力器
２０，２３，６７，１２３  復調回路
２４，７７，１２４  復号化回路
２７  読み出し制御回路
２８，１２８，２２８  復号化書き込み制御回路
３２，６１，７９，１３２  表示器
４１  比較回路
４４，４７  演算回路
４５  読み出し書き込み制御回路
４６，４８  演算制御回路
５０，１５０，２５０，３５０  インタフェース回路
５１，１５１  描画処理回路
５３  動画部検出回路
６２，７０，１７０  切り替え入力装置
６３  スイッチ
６４  ＲＧＢ変換回路
８０，１８０，２８０  制御回路
８５  デコーダ
８７  エンコーダ
９１，９３  発光素子
９４，９６  受光素子
９８，１９８  右回りの偏光板
９９，１９９  左回りの偏光板
１１２ａ  予測符号化回路
１１２ｂ  可変長符号化回路
１１２ｃ  ＭＰＥＧ符号化回路
１２４ａ  可変長復号化回路
１２４ｂ  予測復号化回路
１２４ｃ  ＭＰＥＧ復号化回路
Ｓ１，Ｓ２  接続要求信号
Ｒ１  接続許可信号
Ｒ２  接続却下信号
【図１】
0004120711.tif 000002
【図２】
0004120711.tif 000003
【図３】
0004120711.tif 000004
【図４】
0004120711.tif 000005
【図５】
0004120711.tif 000006
【図６】
0004120711.tif 000007
【図７】
0004120711.tif 000008
【図８】
0004120711.tif 000009
【図９】
0004120711.tif 000010
【図１０】
0004120711.tif 000011
【図１１】
0004120711.tif 000012
【図１２】
0004120711.tif 000013
【図１３】
0004120711.tif 000014
【図１４】
0004120711.tif 000015
【図１５】
0004120711.tif 000016
【図１６】
0004120711.tif 000017
【図１７】
0004120711.tif 000018
【図１８】
0004120711.tif 000019
【図１９】
0004120711.tif 000020
【図２０】
0004120711.tif 000021
【図２１】
0004120711.tif 000022
【図２２】
0004120711.tif 000023
【図２３】
0004120711.tif 000024
【図２４】
0004120711.tif 000025
【図２５】
0004120711.tif 000026